(57)【特許請求の範囲】
【請求項１】
処置具挿通チャンネルに挿通された処置具の先端部分の突出方向を変えるための処置具起上片が挿入部の先端に配置されると共に、上記挿入部の基端に連結された操作部には上記処置具起上片を作動させるための起上片駆動機構が配置され、上記挿入部内に全長にわたって配置されたガイドコイル内に軸線方向に進退自在に挿通された操作ワイヤにより、上記起上片駆動機構と上記処置具起上片とが連結された内視鏡の処置具起上装置であって、
上記ガイドコイルの基端部分に固着された金属製のストッパが上記操作部に対し固定され、上記操作ワイヤが、上記処置具起上片に対しては電気的に導通して上記起上片駆動機構に対しては電気絶縁され、上記操作ワイヤと上記ガイドコイルとの間が、上記ガイドコイルの内周面に沿って配置された可撓性の電気絶縁チューブによって電気絶縁され、上記電気絶縁チューブの端部内から延出する上記操作ワイヤの周囲を囲んで電気絶縁性のガイド筒が上記操作部に固定された状態に配置された内視鏡の処置具起上装置において、
上記電気絶縁チューブの基端が上記ガイドコイルの基端から突出して配置されると共に、上記電気絶縁チューブの基端突出部を囲んで電気絶縁性の保護筒が被嵌配置され、上記保護筒が、上記電気絶縁チューブと端面位置を揃えて上記ガイド筒の内面に嵌合する状態に上記ストッパに固定されていることを特徴とする内視鏡の処置具起上装置。
【発明の詳細な説明】
【０００１】
【発明の属する技術分野】
この発明は、挿入部先端から突出される処置具類の突出方向を変えるための内視鏡の処置具起上装置に関する。
【０００２】
【従来の技術】
側方視型内視鏡などにおいては、一般に、処置具挿通チャンネルに挿通された処置具の先端部分の突出方向を変えるための処置具起上片が挿入部の先端に配置されている。
【０００３】
そして、処置具起上片を作動させるための起上片駆動機構が手元側の操作部に配置されて、挿入部内に全長にわたって配置されたガイドコイル内に軸線方向に進退自在に挿通された操作ワイヤにより起上片駆動機構と処置具起上片とが連結されている。
【０００４】
そのような内視鏡において、高周波電流が流される処置具が用いられると、処置具起上片に漏洩した高周波電流が操作ワイヤを介して操作部まで伝わり、術者が、操作部に配置された金属製の起上片操作部材等に触れたときに火傷をする恐れがある。
【０００５】
そこで、そのようなことが起こらないようにするための構造の一つとして、導電性の処置具起上片に連結された操作ワイヤを、操作部において起上片駆動機構に対して電気絶縁して連結し、操作ワイヤとガイドコイルとの間を、ガイドコイルの内周面に沿って配置された可撓性の電気絶縁チューブによって電気絶縁したものがある。
【０００６】
【発明が解決しようとする課題】
ガイドコイルとその内部に通された操作ワイヤとの間を、ガイドコイルの内周面に沿って配置された電気絶縁チューブで確実に電気絶縁するためには、電気絶縁チューブの基端をガイドコイルの基端からある程度の長さ突出させて配置する必要がある。
【０００７】
しかし、そのような電気絶縁チューブの基端突出部は、処置具起上操作が繰り返されるのに従って操作ワイヤとの擦れ等によって破れ等が発生し、その周辺の金属部と操作ワイヤとの間の電気絶縁が不充分になるおそれがある。
【０００８】
そこで本発明は、処置具起上操作が繰り返された後でも、ガイドコイルの内周面に沿って配置された電気絶縁チューブの基端突出部が破れたりせず、操作ワイヤに対する電気絶縁性を確実に維持することができる内視鏡の処置具起上装置を提供することを目的とする。
【０００９】
【課題を解決するための手段】
上記の目的を達成するため、本発明の内視鏡の処置具起上装置は、処置具挿通チャンネルに挿通された処置具の先端部分の突出方向を変えるための処置具起上片が挿入部の先端に配置されると共に、挿入部の基端に連結された操作部には処置具起上片を作動させるための起上片駆動機構が配置され、挿入部内に全長にわたって配置されたガイドコイル内に軸線方向に進退自在に挿通された操作ワイヤにより、起上片駆動機構と処置具起上片とが連結された内視鏡の処置具起上装置であって、操作ワイヤが、処置具起上片に対しては電気的に導通して起上片駆動機構に対しては電気絶縁され、操作ワイヤとガイドコイルとの間が、ガイドコイルの内周面に沿って配置された可撓性の電気絶縁チューブによって電気絶縁された内視鏡の処置具起上装置において、電気絶縁チューブの基端をガイドコイルの基端から突出させて配置すると共に、電気絶縁チューブの基端突出部を囲んで電気絶縁性の保護筒を被嵌配置したものである。
【００１０】
【発明の実施の形態】
図面を参照して本発明の実施例を説明する。
図２は側方視型の内視鏡を示しており、可撓管によって外装された挿入部１の先端近傍には、挿入部１の基端に連結された操作部３からの遠隔操作によって任意に屈曲する湾曲部４が形成されている。６は、操作部３に配置された湾曲操作ノブである。
【００１１】
挿入部１内から湾曲部４内には、例えば四フッ化エチレン樹脂チューブ等のような電気絶縁性のチューブ材からなる処置具挿通チャンネル２が全長にわたって挿通されており、挿入部１と操作部３との連結部付近に突設された処置具挿入口７に処置具挿通チャンネル２の基端が接続されている。処置具挿通チャンネル２の先端は、挿入部１の先端部分１ａに位置している。
【００１２】
処置具挿通チャンネル２内には各種の処置具１００が挿通されるが、ここでは処置具１００として、高周波電流を通じて処置を行ういわゆる高周波処置具が挿通されている。
【００１３】
処置具１００の先端部分１００ａは、挿入部先端１ａから側方に突出するが、その突出方向を変化させるための処置具起上片５が、挿入部先端１ａに内蔵されている。
【００１４】
処置具起上片５は、例えばステンレス鋼によって形成されて支軸を中心に揺動自在に配置された公知のものであり、挿入部１内に全長にわたって挿通配置されたステンレス鋼線製の操作ワイヤ２２の先端に連結されている。
【００１５】
操作部３には、起上片操作ノブ８と、その起上片操作ノブ８を回動操作することによって操作ワイヤ２２の基端部分を軸線方向に進退駆動するよう動作する起上片駆動機構５０が配置されており、操作ワイヤ２２を介して処置具起上片５を遠隔的に揺動操作して、処置具１００の先端部分１００ａの突出方向を任意に調整することができる。
【００１６】
図３は、操作ワイヤ２２を挿入部１内において案内するガイドコイル３６の先端部分を示している。このガイドコイル３６は、例えばステンレス鋼線を密着巻きした可撓性のコイルパイプによって形成されて挿入部１内に全長にわたって挿通配置されており、その内周面に沿って可撓性のある電気絶縁チューブ３７が配置されている。
【００１７】
電気絶縁チューブ３７は、例えば四フッ化エチレン樹脂製チューブであり、その内側に操作ワイヤ２２が軸線方向に進退自在に挿通配置されて、操作ワイヤ２２とガイドコイル３６との間が電気絶縁チューブ３７により電気絶縁されている。
【００１８】
ガイドコイル３６と電気絶縁チューブ３７の先端部分は、挿入部１の先端部分１ａに配置された電気絶縁ブロック１ｂから後方に突設された支持パイプ３８に被嵌固着されている。したがって、ガイドコイル３６は挿入部１の先端部分１ａ（及び処置具起上片５等）と電気的に導通していない。
【００１９】
図４は、操作部３の内部構造を一部について断面で示す平面図、図５はその側面断面図である。図４に示される６ａは、湾曲操作ワイヤを進退操作するために湾曲操作ノブ６によって作動する湾曲駆動機構であり、それに沿って、起上片操作ノブ８によって作動する起上片駆動機構５０が配置されている。
【００２０】
５３は、電気絶縁性の硬質プラスチックパイプ材によって形成されたガイド筒であり、操作部３のフレーム３ａにネジ止め固定されている。ガイド筒５３内には、全体として棒状のワイヤ駆動ロッド５１が軸線方向に進退自在に嵌挿配置されている。
【００２１】
ワイヤ駆動ロッド５１は、操作ワイヤ２２の基端と半田付け等によって連結固着された金属製の先端側金属部５１ａと、基端側において後述する連結管５６とネジ止め連結された金属製の基端側金属部５１ｃとが、電気絶縁性の硬質プラスチック材等からなる中間絶縁部５１ｂを間に挟んで配置され、それらが例えば接着剤等で一体に接合連結された構成になっている。５２は、ガイド筒５３との間で摺動抵抗を発生させるために装着されたＯリングである。
【００２２】
中間絶縁部５１ｂは、先端側金属部５１ａと基端側金属部５１ｃとの間の電気絶縁性が十分に確保される長さに形成されており、先端側金属部５１ａに高周波電流が通じていてもその影響が基端側金属部５１ｃに及ばないようになっている。
【００２３】
ワイヤ駆動ロッド５１の基端側（即ち、基端側金属部５１ｃの基端側）には連結管５６がネジ止め連結されていて、さらにその先にピン５７を介して回転自在に連結されたリンク５８が、起上片操作ノブ８によって駆動されるように配置されている。
【００２４】
ガイドコイルの基端３６には、その部分を拡大して図示する図１にも示されるように、金属製のストッパ５４が半田付け等によって固着されていて、そのストッパ５４が、操作部３のフレーム３ａに固定された支持部材５５に係止されている。
【００２５】
そして、電気絶縁チューブ３７の基端はガイドコイル３６の基端（及びストッパ５４の基端）からガイド筒５３内に突出した状態に配置されていて、その基端突出部を周囲を囲んで電気絶縁性の硬質プラスチック等からなる保護筒３９が電気絶縁チューブ３７に被嵌されている。
【００２６】
保護筒３９は、外周面がガイド筒５３内に嵌合しており、端面位置が電気絶縁チューブ３７とほぼ同面になっている。なお、この実施例においては、保護筒３９がストッパ５４と一体成形又は接着により一体的に構成されて固定されているが、その他の構造であっても差し支えない。
【００２７】
このような構造により、起上片操作ノブ８を操作すると、起上片駆動機構５０を介して操作ワイヤ２２がガイドコイル３６内で進退し、挿入部先端１ａに配置された処置具起上片５が揺動して、処置具１００の先端部分１００ａの突出方向を変化させることができる。
【００２８】
そして、高周波処置時に漏洩高周波電流が流れる可撓性のある操作ワイヤ２２が、操作部３に配置された起上片駆動機構５０及び起上片操作ノブ８等に対して電気的に絶縁されているので、起上片操作ノブ８を操作する術者が漏洩電流による火傷等を負わない。
【００２９】
また、ガイドコイル３６の基端から突設された電気絶縁チューブ３７の基端突出部に電気絶縁性の保護筒３９が被嵌されているので、電気絶縁チューブ３７の突端部分は、処置具起上操作が繰り返されて操作ワイヤ２２に擦られても破れるようなことがなく、操作ワイヤ２２に高周波電流が漏洩した場合でも、ストッパ５４やガイドコイル３６等に対する電気絶縁性が確実に維持される。
【００３０】
【発明の効果】
本発明によれば、操作ワイヤが挿通されたガイドコイルの内周面に沿って配置された可撓性の電気絶縁チューブの基端突出部を囲んで電気絶縁性の保護筒を被嵌したことにより、処置具起上操作が繰り返された後でも電気絶縁チューブの基端突出部が操作ワイヤで擦られて破れてしまうようなことがなく、操作ワイヤに対する電気絶縁性を確実に維持して電気安全性を確保することができる。
【図面の簡単な説明】
【図１】本発明の実施例の内視鏡の処置具起上装置の電気絶縁チューブの基端突出部付近を拡大して示す平面断面図である。
【図２】本発明の実施例の内視鏡の全体構成を示す外観図である。
【図３】本発明の実施例の内視鏡の処置具起上装置のガイドコイルの先端部分付近の断面図である。
【図４】本発明の実施例の内視鏡の操作部の内部構造の平面一部断面図である。
【図５】本発明の実施例の内視鏡の操作部の内部構造の側面一部断面図である。
【符号の説明】
２  処置具挿通チャンネル
３  操作部
５  処置具起上片
８  起上片操作ノブ
２２  操作ワイヤ
３６  ガイドコイル
３７  電気絶縁チューブ
３９  保護筒
５０  起上片駆動機構
５４  ストッパ
【図１】
0004611538.tif 000002
【図２】
0004611538.tif 000003
【図３】
0004611538.tif 000004
【図４】
0004611538.tif 000005
【図５】
0004611538.tif 000006